(57)【特許請求の範囲】
【請求項１】
上方に開口を有する容器本体と、
上記容器本体内に配置され物品を収納する収納袋と、
上記容器本体の開口を閉じる上蓋と、
上記上蓋と上記容器本体の開口との間に介装された中蓋と、
上記中蓋に開閉可能に装着されるとともに、上記収納袋の口元を固定して密封し得る密封機構部とを備え、
この密封機構部は対向する一対のヒンジ板で構成され、上記各ヒンジ板の一端が上記中蓋に回動自在に軸支されるとともに、該各ヒンジ板の他端は外部から開閉操作可能な開閉操作部に接続され、
上記開閉操作部は上記中蓋に往復動可能に取り付けられたスライダで構成され、
上記一対のヒンジ板の各々は、中間部が水平面内で外方向に折れ曲がる折曲部を備えるとともに、互いに内向きに水平翼を備えており、上記開閉操作部が一方向へ移動したとき上記一対のヒンジ板が直線状に伸長して各水平翼が互いに接して閉鎖し、上記開閉操作部が他方向へ移動したとき上記一対のヒンジ板が折曲して拡開し、該ヒンジ板の開閉動作に伴って、上記一対のヒンジ板に固定された収納袋の口元を開放及び密封することを特徴とする、物品収納容器。
【請求項２】
前記一対のヒンジ板は、折曲部を挟んでそれぞれ高さが異なる二つの内向きの水平翼を備え、前記開閉操作部が一方向へ移動したとき各ヒンジ板が直線状に伸長して上記一対のヒンジ板の各水平翼が互いに上下に咬合し得ることを特徴とする、請求項１に記載の物品収納容器。
【請求項３】
前記一対のヒンジ板の一方は上下に間隙を以て配置した２段の水平翼を備え、ヒンジ板の他方はこの間隙に嵌挿し得る高さ位置に水平翼を備えており、前記開閉操作部が一方向へ移動したとき両ヒンジ板が直線状に伸長し、一方のヒンジ板の水平翼の間隙に他方のヒンジ板の水平翼が嵌挿することにより三層状に咬合し得ることを特徴とする、請求項１または２に記載の物品収納容器。
【請求項４】
前記スライダは、前記上蓋上に突出して該上蓋に形成した長孔に沿って前後方向にスライドさせる操作つまみと、該操作つまみに連結されたスライダブロックとで構成され、該スライダブロックを往復動させる溝部が前記中蓋裏側に形成されたことを特徴とする、請求項１〜３のいずれかに記載の物品収納容器。
【請求項５】
前記スライダは、前記ヒンジ板を直線状に伸長した最前位置で、前記上蓋に形成した係合部により前記操作つまみをロック状態で保持することを特徴とする、請求項１〜４のいずれかに記載の物品収納容器。
【請求項６】
前記密封機構部に、前記収納袋の口元を固定する袋止めフックが装着されたことを特徴とする、請求項１から５のいずれかに記載の物品収納容器。
【請求項７】
前記上蓋に、物品を投入するための透明蓋が開閉自在に設けられたことを特徴とする、請求項１から６のいずれかに記載の物品収納容器。
【請求項８】
前記上蓋と中蓋とは、共通軸にて回動可能に容器本体の一端に軸支され、開蓋状態でともに共通軸から取り外し得るようにしたことを特徴とする、請求項１から７のいずれかに記載の物品収納容器。
【請求項９】
前記密封機構部は、物品を前記容器本体内に収納する際、閉状態で当該物品を載置し得るようになっており、
前記密封装置を開くことにより該密封装置に載置した物品を前記収納袋に落下させるようにしたことを特徴とする、請求項１から８のいずれかに物品収納容器。
【発明の詳細な説明】
【０００１】
【発明の属する技術分野】
この発明は種々の物品、例えば使用済のおむつや、ゴミ等の廃棄物などの収納容器に係り、特に、使用後廃棄されるべき紙おむつや洗濯すべき布おむつ、或いは臭気を放つゴミ又は特別な保管，廃棄等を必要とする物品などを一時的に多量に収納しておく物品収納容器に関する。
【０００２】
【従来の技術】
一般家庭においては、乳幼児あるいは介護を必要とする病人、老齢者のために紙おむつや布おむつが多量に使用される。また、病院、老人ホームおよび乳幼児保育所などでも、入院患者や入所者の排泄物処理に多量のおむつが使用されている。
使用済の紙おむつは、廃棄のために一旦、収納袋に入れて口を縛って密封したり蓋付きのバケットなどに収納して密閉し、一時的に室内などに保管しておき、例えば一日分又は二日分程度ためておいた使用済紙おむつを収納袋などから取り出し、まとめて焼却又は廃棄処分にしている。また、布おむつの場合は、洗濯のため、一日分の使用済布おむつをまとめて、同様に収納袋やバケットに収納し、一時的に室内などに保管している。いずれの場合も、使用済おむつをその都度焼却・廃棄処分にしたり、洗濯したりすることは煩雑であるため、一杯になるまで上記収納袋やバケットに入れて、寝室や洗濯場などの室内で保管している。
また、一般家庭や料理店などで排出する生ゴミなど、臭気を発する廃棄物等が多量に発生する。このような場合、ゴミ搬出までに一時的に室内外等で保管しておくことが必要となる。
【０００３】
ところで、ポリエチレン製などの収納袋を使用済おむつ入れとしてそのまま用いる場合、使用済おむつを入れる都度、封入口の開閉作業を行うことが必要となるため、口を開く際、収納袋内の悪臭が外部に漏れてしまう。また、蓋付きのバケットなどにためる場合も、その都度蓋を開けるので、同様に悪臭が漏れだしてしまう。さらに収納袋の結び目や蓋の隙間から悪臭が漏れだすこともある。
生ゴミ等の場合やとくに臭気が激しい食品その他の物品なども全く同様の問題があるが、以下では、「使用済みおむつ」を収納する収納容器に例をとって説明する。
【０００４】
使用済おむつを収納する場合、蓋を二重構造として使用済おむつを収納する専用の容器が市販されている。市販の専用容器は、例えば上蓋付きの容器本体の内部に開閉可能な密閉口を配置し、この密閉口に収納袋を吊り下げるようにしており、使用済おむつを入れる場合、上蓋を開けた状態で密閉口を開いて、使用済おむつを収納袋に投入し、次いで密閉口を閉じた後、上蓋を閉じることにより収納袋が密封されるようになっており、収納袋は使用済おむつで一杯になると、容器本体の底部から排出される。
【０００５】
【発明が解決しようとする課題】
ところで、上記のような市販の使用済おむつの収納容器では、二重蓋の構造となっているため気密性に優れてはいるが、容器本体の上蓋の開閉と収納袋の密封が別々に行なわれるようになっており、使用済おむつを投入するには、上蓋を開いた状態で、収納袋密封機構を操作して収納袋を開かなければならず、投入したら再び収納袋をこの密封機構の操作により密封した後、上蓋を閉じる動作を行なわなければならないため、一連の作業中に、収納袋内の悪臭が外部に漏れるという課題はなお解決されないままとなっていた。
【０００６】
また、収納袋の密封は、上蓋を開けた状態で、密封機構を操作しながら収納袋の口元を絞り込むことにより行わなければならず、その操作のため両手を必要とし、面倒で手間が掛かるという課題もあった。
【０００７】
この発明は、上記のような課題に鑑みてなされたものであって、その目的とするところは、臭気を外部に漏らすことなく、ワンタッチ操作で収納袋を密封することができる各種物品、例えば使用済おむつなどの収納容器を提供することにある。
この発明の上記ならびにその他の目的と新規な特徴は、本明細書の記述および添付図面から明らかになるであろう。
【０００８】
【課題を解決するための手段】
上記目的を達成すべく、この発明に係る物品収納容器は、上方に開口を有する容器本体と、容器本体内に配置され物品を収納する収納袋と、容器本体の開口を閉じる上蓋と、上蓋と上記容器本体の開口との間に介装された中蓋と、中蓋に開閉可能に装着されるとともに、収納袋の口元を固定して密封し得る密封機構部とを備え、密封機構部は対向する一対のヒンジ板で構成され、各ヒンジ板の一端が中蓋に回動自在に軸支されるとともに、該各ヒンジ板の他端は外部から開閉操作可能な開閉操作部に接続され、開閉操作部は中蓋に往復動可能に取り付けられたスライダで構成され、一対のヒンジ板の各々は、中間部が水平面内で外方向に折れ曲がる折曲部を備えるとともに、互いに内向きに水平翼を備えており、開閉操作部が一方向へ移動したとき一対のヒンジ板が直線状に伸長して各水平翼が互いに接して閉鎖し、開閉操作部が他方向へ移動したとき一対のヒンジ板が折曲して拡開し、該ヒンジ板の開閉動作に伴って、一対のヒンジ板に固定された収納袋の口元を開放及び密封する。
密封機構部は対向する一対のヒンジ板で構成され、各ヒンジ板の一端が蓋に回動自在に軸支されるとともに、該各ヒンジ板の他端は外部から開閉操作可能な開閉操作部に接続され、一対のヒンジ板は、折曲部を挟んでそれぞれ高さが異なる二つの内向きの水平翼を備えており、開閉操作部が一方向へ移動したとき各ヒンジ板が直線状に伸長して一対のヒンジ板の各水平翼が互いに上下に咬合し得るものでもよい。
また、密封機構部は、対向する一対のヒンジ板で構成され、各ヒンジ板の一端が蓋に回動自在に軸支されるとともに、該各ヒンジ板の他端は外部から開閉操作可能な開閉操作部に接続され、一対のヒンジ板の一方は上下に間隙を以て配置した２段の水平翼を備え、ヒンジ板の他方はこの間隙に嵌挿し得る高さ位置に水平翼を備えており、開閉操作部が一方向へ移動したとき両ヒンジ板が直線状に伸長し、一方のヒンジ板の水平翼の間隙に他方のヒンジ板の水平翼が嵌挿することにより三層状に咬合し得るものでもよい。
スライダは、上蓋上に突出して該上蓋に形成した長孔に沿って前後方向にスライドさせる操作つまみと、該操作つまみに連結されたスライダブロックとで構成され、該スライダブロックを往復動させる溝部が中蓋裏側に形成されてもよい。スライダは、ヒンジ板を直線状に伸長した最前位置で、上蓋に形成した係合部により操作つまみをロック状態で保持してもよい。
密封機構部に、収納袋の口元を固定する袋止めフックが装着されてもよい。上蓋に、物品を投入するための透明蓋が開閉自在に設けられてもよい。上蓋と中蓋とは、共通軸にて回動可能に容器本体の一端に軸支され、開蓋状態でともに共通軸から取り外し得るようにしてもよい。
密封機構部は、物品を容器本体内に収納する際、閉状態で当該物品を載置し得るようになっており、密封装置を開くことにより該密封装置に載置した物品を収納袋に落下させるようにしてもよい。
【０００９】
この発明によれば、例えば臭気を放つような、使用済おむつなどの物品を廃棄前或いは洗濯するに先立って一時的に貯めておく場合、先ず、上蓋を開くか、上蓋上に形成された透明窓を開けて、中蓋に形成した使用済おむつを密封機構部、好ましくは開閉可能な一対のヒンジ板の上に載置する。このとき、ヒンジ板は容器本体に橋架された形で中蓋に閉状態で直線状に伸長している。ここで、収納容器本体には予め物品を収納し密封するための収納袋が入れてあり、その上部口元はヒンジ板のフックに係止しておく。物品を載置したら上蓋を閉じて、例えば上蓋の一側に設けた開閉操作部を操作して、ヒンジ板を菱形状に拡開する。するとヒンジ板上の物品は菱形状に拡開したヒンジ板の間から収納袋内に落下し、その後ヒンジ板を直線状に伸長状態に復帰させれば収納作業が完了する。
このように、収納袋の口元を開口して収納袋内に収納するのは、上蓋の閉鎖状態で行なわれ、また開口する時間も僅か数秒で済むので、収納袋内の例えば使用済おむつの臭気が周囲に漏れだすことがない。
【００１０】
ここで、ヒンジ板を、左右に一対設けて、それぞれ中央に折曲部を形成すると共に、折曲部を挟んでそれぞれ高さが異なる二つの内向きの水平翼を形成すれば、開閉操作部を操作して各ヒンジ板を直線状に伸長することにより、一対のヒンジ板の各水平翼を互いに上下に咬合し得ることができるので、収納袋の口元は、先ず、一方のヒンジ板の下側の水平翼と他方のヒンジ板の垂直板との間に挟持されて締めつけられ、次いでその上方で、他方のヒンジ板の上側の水平翼と一方のヒンジ板の垂直板との間に挟持されて締めつけられる。このように収納袋の口元が二重に締めつけられて密封されることになるので、密封効果に優れたものとなる。
この発明の他の態様として、水平翼を各ヒンジ板の少なくとも一方に複数枚形成することによって、収納袋の口元は三重以上に封止されることができ、密封効果が格段に向上する。
上記ヒンジ板等の密封機構部を開閉操作する開閉操作部、例えばスライダ機構を、収納容器の外側に設けることにより、ワンタッチでヒンジ板を開閉操作することができるので、片手による物品収納作業を行なうことができる。
【００１１】
【発明の実施の形態】
以下、この発明の実施の形態を図面に基づいて詳細に説明する。実施の形態を説明するに当たって、同一機能を奏するものは同じ符号を付して説明する。以下の説明においても、収納される物品を「使用済おむつ」を例とするものとする。
図１はこの発明の一実施の形態に係る使用済おむつの収納容器の斜視図、図２は使用済おむつの収納容器の上・中蓋開時における正面図、図３は上・中蓋の開時における裏面図である。
また、図４は中蓋の収納袋の口元を固定した状態での斜視図、図５は袋止めフックの説明図、図６は図４のＢ−Ｂ断面図、図７は収納袋の正面図を示し、また図８は図１のＣ−Ｃ断面図である。
図９および図１０は中蓋のヒンジ板閉時における平面図および裏面図、図１１は図９のＡ−Ａ断面図、図１２は使用済おむつの収納容器のおむつ投下時の斜視図、図１３および図１４は中蓋のヒンジ板開時における平面図および裏面図である。
さらに、図１５は他の実施の形態に係るヒンジ板の閉時の断面図である。
【００１２】
図１〜４に示す使用済おむつの収納容器は、上方が開口された容器本体１と、この容器本体１の開口を開閉する中蓋２および上蓋３とを具備している。
容器本体１の上部側端には支持片１ａが形成され、この支持片１ａは、断面が縦長の略楕円形状を呈する支持軸１ｂを有している。
【００１３】
中蓋２および上蓋３は、その一端に長孔２ｂ，３ｂがそれぞれ形成され、これら長孔２ｂ，３ｂは容器本体１の支持軸１ｂに共に係合されている。なお、図中、２ｄは、長孔２ｂが形成された取付片を示す。これにより、中蓋２および上蓋３はともに、支持軸１ｂを共通軸として容器本体１に開閉可能に支持され、支持軸１ｂを支点として上蓋３と中蓋２とをそれぞれ所定角度開いたとき、容器本体１より取り外し可能になっている。
【００１４】
中蓋２の他端側には、上面が平坦な凸部２ａが形成され、この凸部２ａによって形成されたスペースに、本発明を構成する密封機構部の開閉操作部としてのスライダ５が往復移動可能に収納されている。さらに、凸部２ａの上壁には、スライダ５の往復動を案内するガイド溝２ｃが形成されている。
【００１５】
中蓋２の中央部には、一端が中蓋２に軸着され、他端がスライダ５に軸着されれた一対のヒンジ板７が対向して配置されている。これらのヒンジ板が、本発明の密封機構部を構成する。
各ヒンジ板７は、帯状の垂直板７ａを有し、この垂直板７ａの中間部のヒンジ部７ｂで外側にくの字に屈曲するようになっており、垂直板７ａの内面にはヒンジ部７ｂを分岐点とする一側と他側とで段違いになるように内向きの水平翼７ｃが水平方向にそれぞれ突出形成されている。ここで、これら一対のヒンジ板７は同一形状で形成されているため、合成樹脂で一体成形することにより同一物が多量に製造でき、製造コストの面で有利である。また、ヒンジ部７ｂも一体成形によりインテグラルヒンジとして形成することができる。
【００１６】
一対のヒンジ板７は、スライダ５の往復動に連動して直線状からほぼ菱形状になるまで開閉するようになっており、閉時はスライダ５により伸長する方向に引っ張られることで水平翼７ｃが互いに重なるように咬合し、開時は圧縮する方向に押し込まれて屈曲し開口するようになっており、恰もパンタグラフ式の動作を行なうようになっている。
【００１７】
ヒンジ板７の所定箇所には、複数の袋止めフック９が装着され、これら袋止めフック９によって収納袋１０の口元１０ａがヒンジ板７に固定される。この実施の形態では、合計４枚の水平翼７ｃにそれぞれ１か所、計４個設けている。袋止めフック９は、図５に示すように、フック板９ａの一端に開口９ｅを有するフック部９ｃが形成され、他端にはフック軸９ｄが形成されている。フック軸９ｄはヒンジ板７の外面に形成されたフック受け７ｅに軸支され、袋止めフック９がフック軸９ｄを中心にして回転し、開口９ｅとヒンジ板７の上辺に形成された突起７ｇとが係止されるようになっている。
このとき、収納袋１０の口元１０ａが、フック部９ｃとヒンジ板７とで挟み付けられてヒンジ板７に固定され、ヒンジ板７の開閉と収納袋１０の開閉が同時に行なわれるようになっている。
【００１８】
図６は、開閉操作部としてのスライダ５の近傍の要部断面図である。スライダ５には、円筒部５ｆが形成されており、この円筒部５ｆの上部にスライドノブ５ａがねじ２０によって固定されている。スライドノブ５ａには、スライドフック５ｂが設けられ、このスライドフック５ｂのばね部５ｃによって中蓋２の凸部２ａ上面に常時押圧されている。そして、スライドノブ５ａが図中左端部に位置した際に、スライドフック５ｂが突起２ｅに係止されることにより、スライドノブ５ａひいてはスライダ５の図中右方への移動が規制され、ヒンジ板７が閉じた状態で保持される。
一方、円筒部５ｆの中間部にはリング状のフランジ５ｇが形成され、このフランジ５ｇより下方に一対のヒンジ板７の端部が回転可能に外挿されている。
そして、これら一対のヒンジ板７は、ヒンジストッパ２１が円筒部５ｆの下端部に固定されることによって保持されている。このヒンジストッパ２１の固定手段は、ヒンジストッパ２１に一体形成された係止爪２１ａが円筒部５ｆの所定位置に形成された係止孔５ｈに係合する構造を呈している。
収納袋１０は、容器本体１内に配置され、紙おむつや布おむつなどの使用済おむつを収納密封し廃棄するためのものであり、図７に示すように、その口元１０ａには絞り加工を施せば好ましい。
【００１９】
上蓋３には、透明蓋４が開閉自在に装着され、図８に示すように、透明蓋４の縁部には舌片４ａが水平方向に突出形成されている。透明蓋４は、ばね材（図示略す）により開く方向に付勢され、閉時には上蓋３に設けられた開閉ノブ６の係止爪６ａが舌片４ａ上にスライドして舌片４ａを係止するようになっている。開閉ノブ６には、ばね部６ｂが形成されており、このばね部６ｂは係止爪６ａが舌片４ａを係止する方向（図８中右方向）に付勢している。また、開閉ノブ６の上面には、凹状の指当て部６ｃが形成されており、図中、左方へのスライド操作を容易に行なえるように構成されている。
上蓋３には窓３ａが開口され、上蓋３を閉じた状態でも、スライドノブ５ａの往復操作を可能にしている。
【００２０】
使用済おむつの収納容器は、以上の如く構成されているので、まず、容器本体１内に収納袋１０を配置し、その口元１０ａを袋止めフック９によってヒンジ板７に固定し、ヒンジ板７、中蓋２、上蓋３および透明蓋４を閉じておく。
この場合、図９、１０に示すように、ヒンジ板７が引っ張られる方向に開閉操作部としてのスライダ５を移動させ、スライドフック５ｂを凸部２ａの突起２ｅに係止させることにより、ヒンジ板７の閉じた状態を保持することができる。
さらに図１１に示すように、収納袋１０の口元１０ａは、両ヒンジ板７，７’と袋止めフック９との間で挟み付けられて固定されると共に、ヒンジ板７，７’の水平翼７ｃ，７ｃ’が重なるように咬合される。すなわち、先ず、一方のヒンジ板７（図１１において左側）の下側の水平翼７ｃと他方のヒンジ板７’（図１１において右側）の垂直板７ａ’との間に挟持されて締めつけられ、次いでその上方で、他方のヒンジ板７’の上側の水平翼７ｃ’と一方のヒンジ板７の垂直板７ａとの間に挟持されて締めつけられる。このように収納袋の口元が二重に締めつけられて密封されることになるので、収納袋１０は確実に密封されることになる。
【００２１】
収納袋１０内に使用済おむつを収納する場合は、図１２に示すように、上蓋３を閉じたままで、開閉ノブ６をばね部６ｂの付勢力に抗してスライドさせ、係止爪６ａと舌片４ａとの係止を解除して、透明蓋４を開き、ヒンジ板７上におむつを載せた後、透明蓋４を閉じる。なお、図中、３０は、収納袋１０内に収納された使用済のおむつを示す。
【００２２】
次に、スライドフック５ｂの突起２ｅとの係合状態を解除し、ヒンジ板７が押し込まれる方向にスライダ５を移動させ、図１３、１４に示すように、ヒンジ板７を菱形状又は矩形に拡開する。このとき、収納袋１０の口元１０ａがヒンジ板７に固定されているので、収納袋１０も同時に開く。これにより、おむつ３０は収納袋１０内に自然落下し収納される。その後、スライダ５を元の位置に戻し、ヒンジ板７を閉じるとともに収納袋１０の開口を閉じ密封する。このとき、スライダ５のスライドフック５ｂが突起２ｅに係止され、収納袋１０の密封状態が保持される。かくして、収納袋１０内のおむつが一杯になると、上蓋３および中蓋２を所定角度まで開くことにより容器本体１より取り外し、収納袋１０を閉じた状態で収納袋１０の口元１０ａが括られた後、収納袋１０は廃棄又は次の用途のために回収される。
【００２３】
このように、本実施の形態の使用済おむつの収納容器では、収納袋１０の開閉および密封を行なうヒンジ板７を設け、透明蓋４、上蓋３を閉じた状態で、収納袋１０の開閉および密封が行なわれるので、収納袋１０中の悪臭を外部に漏らすことがない。
【００２４】
さらに、収納袋１０の開閉および密封動作は、ヒンジ板７と連動するスライダ５の往復動作のみで行なえるので、おむつの収納操作が片手でワンタッチ操作することができる。
【００２５】
また、上蓋３に透明蓋４を設けたことにより、おむつを収納する場合、おむつが収納袋１０内に投入されたか否かを容易に確認することができる。
また、一対のヒンジ板７は、閉時には咬合されるので、収納袋１０の密封効果を向上させることができる。
【００２６】
以上、この発明の実施の形態を使用済おむつの収納容器について詳述したが、この発明は、上記実施の形態記載の使用済おむつの収納容器に限定されるものではなく、この発明の特許請求の範囲に記載されている発明の精神を逸脱しない範囲で、設計において種々の変更ができるものである。
【００２７】
たとえば、一対のヒンジ板７をそれぞれ同一の形状に形成し、対称に配置することができる。この場合、一対のヒンジ板をプラスチック材で一体的に成形するとともに、ユニット化することにより、部品点数を削減することができ、コスト低減を図ることができる。この際、中央のヒンジ部７ｂは別部材で構成してもよいが、一体成形によりインテグラルヒンジとして形成するようにすれば有利である。
【００２８】
また、図１５に示すように、一方のヒンジ板７に水平翼７ｃを二段に形成して、これら水平翼７ｃの間に他方のヒンジ板７の水平翼７ｃを介在するように咬合させれば、収納袋１０の密封効果をより向上することができる。
また、本実施の形態では、収納袋１０を袋止めフック９を利用してヒンジ板７に固定したが、必ずしも袋止めフック９を用いる必要はなく、たとえばヒンジ板７に引っ掛け部を形成するか、あるいはヒンジ板７に直に引っ掛けて固定してもよい。
【００２９】
【発明の効果】
以上の説明から理解されるように、この発明の物品収納容器によれば、収納袋の口元がヒンジ板に固定され、上蓋を閉めた状態で収納袋の開閉および密封を行なうことができるので、おむつや生ゴミあるいは臭気が強い物品などを廃棄したり、密封保管したりする際、収納袋中の悪臭の外部への漏洩を防止することができ、各種物品の収納操作が片手でワンタッチ操作することができる。
【図面の簡単な説明】
【図１】この発明の一実施の形態を示す使用済おむつの収納容器の斜視図である。
【図２】この発明の一実施の形態を示す使用済おむつの収納容器の上・中蓋開時における正面図である。
【図３】この発明の一実施の形態を示す上・中蓋の開時における裏面図である。
【図４】この発明の一実施の形態を示す中蓋の収納袋の口元を固定した状態での斜視図である。
【図５】この発明の一実施の形態を示す袋止めフックの説明図である。
【図６】図４のＢ−Ｂ断面図である。
【図７】この発明の一実施の形態を示す使用済おむつの収納容器内に配置される収納袋の正面図である。
【図８】図１のＣ−Ｃ断面図である。
【図９】この発明の一実施の形態を示す中蓋のヒンジ板閉時における平面図である。
【図１０】この発明の一実施の形態を示す中蓋のヒンジ板閉時における裏面図である。
【図１１】図９のＡ−Ａ断面図である。
【図１２】この発明の一実施の形態を示す使用済おむつの収納容器のおむつ投下時の斜視図である。
【図１３】この発明の一実施の形態を示す中蓋のヒンジ板開時における平面図である。
【図１４】この発明の一実施の形態を示す中蓋のヒンジ板開時における裏面図である。
【図１５】この発明の他の実施の形態を示す使用済おむつの収納容器におけるヒンジ板の閉時の断面図である。
【符号の説明】
１      容器本体
１ａ    支持片
１ｂ    支持軸
２      中蓋
２ａ    凸部
２ｂ，３ｂ  長孔
２ｃ    ガイド溝
２ｄ    取付片
２ｅ    突起
３      上蓋
３ａ    窓
４      透明蓋
４ａ    舌片
５      スライダ
５ａ    スライドノブ
５ｂ    スライドフック
５ｃ，６ｂ    ばね部
６      開閉ノブ
６ａ    係止爪
７      ヒンジ板
７ａ    ヒンジ部
９      袋止めフック
１０    収納袋
１０ａ  口元
【図１】
0004437249.tif 000002
【図２】
0004437249.tif 000003
【図３】
0004437249.tif 000004
【図４】
0004437249.tif 000005
【図５】
0004437249.tif 000006
【図６】
0004437249.tif 000007
【図７】
0004437249.tif 000008
【図８】
0004437249.tif 000009
【図９】
0004437249.tif 000010
【図１０】
0004437249.tif 000011
【図１１】
0004437249.tif 000012
【図１２】
0004437249.tif 000013
【図１３】
0004437249.tif 000014
【図１４】
0004437249.tif 000015
【図１５】
0004437249.tif 000016